(57)【特許請求の範囲】
【請求項１】
送信装置と通信を行う受信装置であって、
前記送信装置が１以上の送信アンテナから送信したリファレンス信号を、１以上の受信アンテナを介して受信する受信部と、
前記受信部が受信したリファレンス信号を用いて、前記１以上の送信アンテナと、前記１以上の受信アンテナとの組み合わせに応じたチャネルについて周波数領域のチャネル推定値を取得するチャネル推定部と、
前記チャネル推定部が取得した周波数領域のチャネル推定値を逆フーリエ変換して、チャネルを構成する各パスの振幅と位相と遅延間隔とを含む遅延プロファイルを生成する生成部と、
前記生成部が生成した遅延プロファイルを前記送信装置に送信するフィードバック部と、を備え、
前記送信装置と前記受信装置との間に２以上のチャネルが存在し、
前記生成部は、少なくとも一のチャネルについては振幅、位相、遅延間隔のすべてを含む遅延プロファイルを生成し、他のチャネルについては位相のみを含む遅延プロファイルを生成する、受信装置。
【請求項２】
前記送信装置及び前記受信装置は、ＭＩＭＯ（Ｍｕｌｔｉｐｌｅ  Ｉｎｐｕｔ  Ｍｕｌｔｉｐｌｅ  Ｏｕｔｐｕｔ）により通信を行うものであり、
前記送信装置は、２以上の送信アンテナを用いて送信を行う、請求項１記載の受信装置。
【請求項３】
送信装置と通信を行う受信装置において処理されるフィードバック方法であって、
前記送信装置が１以上の送信アンテナから送信したリファレンス信号を、１以上の受信アンテナを介して受信する受信ステップと、
前記受信ステップで受信したリファレンス信号を用いて、前記１以上の送信アンテナと、前記１以上の受信アンテナとの組み合わせに応じたチャネルについて周波数領域のチャネル推定値を取得するチャネル推定ステップと、
前記チャネル推定ステップで取得した周波数領域のチャネル推定値を逆フーリエ変換して、チャネルを構成する各パスの振幅と位相と遅延間隔とを含む遅延プロファイルを生成する生成ステップと、
前記生成ステップで生成した遅延プロファイルを前記送信装置に送信するフィードバックステップと、を備え、
前記送信装置と前記受信装置との間に２以上のチャネルが存在し、
前記生成ステップでは、少なくとも一のチャネルについては振幅、位相、遅延間隔のすべてを含む遅延プロファイルを生成し、他のチャネルについては位相のみを含む遅延プロファイルを生成する、フィードバック方法。
【請求項４】
コンピュータを、
送信装置と通信を行う受信装置として機能させるためのプログラムであって、
前記送信装置が１以上の送信アンテナから送信したリファレンス信号を、１以上の受信アンテナを介して受信する受信部が受信したリファレンス信号を用いて、前記１以上の送信アンテナと、前記１以上の受信アンテナとの組み合わせに応じたチャネルについて周波数領域のチャネル推定値を取得するチャネル推定部、
前記チャネル推定部が取得した周波数領域のチャネル推定値を逆フーリエ変換して、チャネルを構成する各パスの振幅と位相と遅延間隔とを含む、前記送信装置に送信される遅延プロファイルを生成する生成部として機能させ、
前記送信装置と前記受信装置との間に２以上のチャネルが存在し、
前記生成部は、少なくとも一のチャネルについては振幅、位相、遅延間隔のすべてを含む遅延プロファイルを生成し、他のチャネルについては位相のみを含む遅延プロファイルを生成する、プログラム。
【発明の詳細な説明】
【技術分野】
【０００１】
本発明は、リファレンス信号を用いたチャネル推定結果をフィードバックする受信装置等に関する。
【背景技術】
【０００２】
従来、複数のアンテナを介して空間多重により送信・受信を行う多入力多出力（ＭＩＭＯ：Ｍｕｌｔｉｐｌｅ  Ｉｎｐｕｔ  Ｍｕｌｔｉｐｌｅ  Ｏｕｔｐｕｔ）方式の無線通信が行われている（例えば、特許文献１，２）。また、そのようなＭＩＭＯ方式の無線通信における周波数領域でのチャネル推定に関する種々の方法も知られている（例えば、非特許文献１参照）。また、そのようなＭＩＭＯ方式の無線通信において、チャネル推定結果を送信側にフィードバックすることが行われている。
【先行技術文献】
【特許文献】
【０００３】
【特許文献１】特開２００３−３３８７７９号公報
【特許文献２】特開２００５−３２８３１２号公報
【非特許文献】
【０００４】
【非特許文献１】Ｍ．Ｋ．Ｏｚｄｅｍｉｒ，Ｈ．Ａｒｓｌａｎ，「Ｃｈａｎｎｅｌ  ｅｓｔｉｍａｔｉｏｎ  ｆｏｒ  ｗｉｒｅｌｅｓｓ  ＯＦＤＭ  ｓｙｓｔｅｍｓ」、ＩＥＥＥ  Ｃｏｍｍｕｎｉｃａｔｉｏｎｓ  Ｓｕｒｖｅｙｓ＆Ｔｕｔｏｒｉａｌｓ，ｖｏｌ．９，ｎｏ．２，ｐ．１８−４８，２００７年
【発明の概要】
【発明が解決しようとする課題】
【０００５】
近年、移動体無線通信システムにおいて、コンテンツダウンロードのような高速データ伝送の需要が高まってきている。これに対応するため、例えば、基地局、移動局間の距離の小さいフェムトセルやピコセルを設置し、基地局一つあたりの移動局収容数を減らすことによって、一回線あたりの伝送速度を高めることも行われている。さらに、複数のユーザに高速データ伝送を提供するために、マルチユーザＭＩＭＯ技術も提案されている。
【０００６】
ＦＤＤ（Ｆｒｅｑｕｅｎｃｙ  Ｄｉｖｉｓｉｏｎ  Ｄｕｐｌｅｘ）−ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式におけるマルチユーザＭＩＭＯ技術では、移動局側でチャネル推定を行い、基地局にチャネル推定結果をフィードバックする必要がある。特に、伝送速度を向上させるためには、より正確なチャネル推定結果のフィードバックが求められる。一方、そのチャネル推定結果のフィードバックは、無線リソースを消費することになり、そのことは、より正確なチャネル推定結果をフィードバックする場合に特に顕著となる。したがって、そのようなマルチユーザＭＩＭＯの通信等において、チャネル推定結果を送信側にフィードバックする際に、その送信するデータ容量を削減したいという要望があった。フィードバック対象のデータ量を削減できれば、それだけより精度の高いフィードバックを行うことも可能だからである。
一般的に言えば、受信側が送信側にチャネル推定結果をフィードバック送信する無線通信システムにおいて、そのフィードバック対象のデータ量を削減したいという要望があった。
【０００７】
本発明は、上記事情に応じてなされたものであり、チャネル推定結果をフィードバックする際のデータ量を削減することができる受信装置等を提供することを目的とする。
【課題を解決するための手段】
【０００８】
上記目的を達成するため、本発明による受信装置は、送信装置が１以上の送信アンテナから送信したリファレンス信号を、１以上の受信アンテナを介して受信する受信部と、受信部が受信したリファレンス信号を用いて、１以上の送信アンテナと、１以上の受信アンテナとの組み合わせに応じたチャネルについて周波数領域のチャネル推定値を取得するチャネル推定部と、チャネル推定部が取得した周波数領域のチャネル推定値を逆フーリエ変換して、チャネルを構成する各パスの振幅と位相と遅延間隔とを含む遅延プロファイルを生成する生成部と、生成部が生成した遅延プロファイルを送信装置に送信するフィードバック部と、を備え、生成部は、振幅及び遅延間隔の少なくとも一部を除いた遅延プロファイルを生成する、ものである。
このような構成により、振幅及び遅延間隔の少なくとも一部を除いた遅延プロファイルをフィードバックすることになるため、フィードバックするデータ量を削減することができる。そのため、例えば、より精度の高い遅延プロファイルを送信することも可能となりうる。一方、一部の振幅及び遅延間隔を除いたとしても、その除いた振幅及び遅延間隔と、他の遅延プロファイルに含まれる振幅及び遅延間隔とが大きく異ならない場合には、遅延プロファイルを受信した側において、すべてのチャネルに応じたチャネル推定結果を適切に得ることができることになる。
【０００９】
また、本発明による受信装置では、前記送信装置と前記受信装置との間に２以上のチャネルが存在し、生成部は、少なくとも一のチャネルについては振幅、位相、遅延間隔のすべてを含む遅延プロファイルを生成し、他のチャネルについては位相のみを含む遅延プロファイルを生成してもよい。
同じ受信装置が使用している無線通信のチャネルについては、振幅や遅延間隔は大きく変わらないと考えられるため、このような構成により、フィードバックの品質を落とさないでフィードバックのデータ量を削減することができうる。
【００１０】
また、本発明による受信装置では、前記送信装置と前記受信装置との間に２以上のチャネルが存在し、生成部は、すべてのチャネルに関する振幅の平均及び遅延間隔の平均を含む遅延プロファイルを生成し、すべてのチャネルについて位相のみを含む遅延プロファイルを生成してもよい。
同じ受信装置が使用している無線通信のチャネルについては、遅延プロファイルは大きく変わらないと考えられるため、このような構成により、フィードバックの品質を落とさないでフィードバックのデータ量を削減することができうる。
【００１１】
また、本発明による受信装置では、生成部は、基準となる生成時には、振幅、位相、遅延時間のすべてを含む遅延プロファイルを生成し、基準となる生成時以外には、位相のみを含む遅延プロファイルを生成してもよい。
同じ受信装置が使用している無線通信のチャネルについては、振幅や遅延間隔は位相に比べて時間的に大きく変わらないと考えられるため、このような構成により、フィードバックの品質を落とさないでフィードバックのデータ量を削減することができうる。
【００１２】
また、本発明による受信装置では、送信装置及び受信装置は、ＭＩＭＯ（ＭｕｌｔｉｐｌｅＩｎｐｕｔＭｕｌｔｉｐｌｅＯｕｔｐｕｔ）により通信を行うものであり、送信装置は、２以上の送信アンテナを用いて送信を行ってもよい。
このような構成により、ＭＩＭＯによる通信においても、フィードバックのデータ量を削減することができる。
【００１３】
また、本発明によるフィードバック方法は、送信装置が１以上の送信アンテナから送信したリファレンス信号を、１以上の受信アンテナを介して受信する受信ステップと、受信ステップで受信したリファレンス信号を用いて、１以上の送信アンテナと、１以上の受信アンテナとの組み合わせに応じたチャネルについて周波数領域のチャネル推定値を取得するチャネル推定ステップと、チャネル推定ステップで取得した周波数領域のチャネル推定値を逆フーリエ変換して、チャネルを構成する各パスの振幅と位相と遅延間隔とを含む遅延プロファイルを生成する生成ステップと、生成ステップで生成した遅延プロファイルを送信装置に送信するフィードバックステップと、を備え、生成ステップでは、振幅及び遅延間隔の少なくとも一部を除いた遅延プロファイルを生成する、ものである。
【発明の効果】
【００１４】
本発明による受信装置等によれば、周波数領域のチャネル推定値を時間領域に変換し、その一部を除いてフィードバックするため、フィードバック対象のデータ量を削減することができる。
【図面の簡単な説明】
【００１５】
【図１】本発明の実施の形態１による受信装置の構成を示すブロック図
【図２】同実施の形態における受信部の構成を示すブロック図
【図３】同実施の形態における生成部の構成を示すブロック図
【図４】同実施の形態による受信装置の動作を示すフローチャート
【図５】同実施の形態における遅延プロファイルについて説明するための図
【図６】同実施の形態におけるコンピュータシステムの外観一例を示す模式図
【図７】同実施の形態におけるコンピュータシステムの構成の一例を示す図
【発明を実施するための形態】
【００１６】
以下、本発明による受信装置について、実施の形態を用いて説明する。なお、以下の実施の形態において、同じ符号を付した構成要素及びステップは同一または相当するものであり、再度の説明を省略することがある。
【００１７】
（実施の形態１）
本発明の実施の形態１による受信装置について、図面を参照しながら説明する。本実施の形態による受信装置は、チャネル推定結果を送信側にフィードバックするものである。
【００１８】
図１は、本実施の形態による受信装置１の構成を示すブロック図である。受信装置１は、送信装置２と通信を行うものである。本実施の形態では、受信装置が移動局（ＵＥ：Ｕｓｅｒ  Ｅｑｕｉｐｍｅｎｔ）であり、送信装置２が基地局（ＢＳ：Ｂａｓｅ  Ｓｔａｔｉｏｎ）である場合について主に説明するが、そうでなくてもよい。また、本実施の形態では、受信装置１と送信装置２とが複数のアンテナを介してＭＩＭＯ通信を行う場合について説明するが、受信装置１と送信装置２とは、ＭＩＭＯ以外のチャネル推定結果をフィードバックする通信を行ってもよい。また、本実施の形態では、受信装置１が２個の受信アンテナ３，４を有する場合について説明するが、そうでなくてもよい。受信装置１は、１個以上の受信アンテナを有するものであればよい。また、本実施の形態では、受信装置１が１個である場合について説明するが、２個以上の受信装置が存在してもよい。その場合には、例えば、マルチユーザＭＩＭＯ通信が行われてもよい。また、本実施の形態では、送信装置２から受信装置１に対して、ＯＦＤＭによる通信が行われる場合について主に説明するが、そうでなくてもよい。また、本実施の形態では、送信装置２が２個の送信アンテナ５，６を介して送信を行う場合について説明するが、そうでなくてもよい。送信装置２は、例えば、１個以上の送信アンテナを介して送信を行うものであればよい。なお、ＭＩＭＯによる通信が行われる場合には、通常、送信装置２は２個以上の送信アンテナを有することになる。図１で示されるように、本実施の形態による受信装置１は、受信部１１と、チャネル推定部１２と、生成部１３と、フィードバック部１４とを備える。
【００１９】
受信部１１は、送信装置２が送信アンテナ５，６から送信したリファレンス信号を、受信アンテナ３，４を介して受信する。また、受信部１１は、フィードバックされた遅延プロファイルに応じたＭＩＭＯの受信を行ってもよい。本実施の形態では、前述のように、受信部１１は、ＯＦＤＭの送信信号を受信するものとする。図２は、その受信部１１の詳細な構成を示すブロック図である。図２において、受信部１１は、低雑音増幅部３１と、局部発振部３２と、周波数変換部３３と、ＡＤ変換部３４と、フーリエ変換部３５と、等化器３６と、復調部３７と、Ｐ／Ｓ（パラレル／シリアル）変換部３８とを備える。なお、図２では、一の受信処理系列のみを示しているが、受信部１１は、受信装置１の有するアンテナの個数に応じた受信処理系列を有してもよい。また、その場合には、Ｐ／Ｓ変換部３８の後段等において、ＭＩＭＯに関してアンテナごとの信号を抽出する処理部が存在してもよく（例えば、シングルユーザＭＩＭＯの場合等）、あるいは、存在しなくてもよい（例えば、プリコーディングの場合等）。
【００２０】
低雑音増幅部３１は、受信アンテナ３，４で受信された受信信号を受信し、その受信した受信信号を増幅する。局部発振部３２は、周波数変換のための信号を生成する。周波数変換部３３は、局部発振部３２によって生成された信号を用いて、受信信号を周波数変換し、ＡＤ変換部３４で変換できる等価ベースバンド帯域受信信号に変換する。ＡＤ変換部３４は、等価ベースバンド帯域受信信号であるアナログ信号をデジタル信号に変換する。なお、このデジタル信号は、複数のサブキャリアに応じた複数の並列した信号となる。フーリエ変換部３５は、ＡＤ変換後のデジタル信号を受け付け、それらの複数の信号を並列して高速フーリエ変換することによって、時間領域の信号を周波数領域の信号に変換する。等化器３６は、後述するチャネル推定部１２が取得したチャネル推定値を用いて等化処理を行う。復調部３７は、等化処理後の信号を復調する。Ｐ／Ｓ変換部３８は、サブキャリアごとの並列配列の信号を直列配列に変換する。その結果、受信部１１は、送信装置２が送信した信号そのものを得ることができる。
【００２１】
なお、受信部１１の構成は、これに限定されるものではなく、他の構成であってもよい。例えば、高速フーリエ変換に代えて、離散フーリエ変換を用いてもよい。このように、受信部１１の構成には任意性が存在する。また、受信部１１は、ＯＦＤＭ以外による受信を行ってもよい。すなわち、受信部１１は、ＯＦＤＭ以外による受信を行うことができる構成を有していてもよい。受信部１１は、ハードウェアによって実現されてもよく、あるいは、ソフトウェアにより実現可能な部分については、受信デバイスを駆動するドライバ等のソフトウェアによって実現されてもよい。
【００２２】
また、受信装置１において、送信時の周波数変換と、受信時の周波数変換で用いられる局部発振部は、送信の構成と、受信の構成とにおいて共用されてもよい。また、例えば、局部発振部３２が生成する周波数が２．４ＧＨｚであり、受信アンテナ３，４で受信された受信信号の周波数が２．４ＧＨｚであり、周波数変換部３３による周波数変換後の等価ベースバンド帯域の受信信号の周波数が０ＧＨｚであってもよい。なお、これらの周波数は一例であり、これらに限定されないことは言うまでもない。
【００２３】
チャネル推定部１２は、送信装置２が複数の送信アンテナ５，６からそれぞれ送信したリファレンス信号を受信部１１が受信した場合に、そのリファレンス信号を用い、複数の送信アンテナ５，６のそれぞれと、複数の受信アンテナ３，４のそれぞれとの組み合わせに応じた各チャネルについて周波数領域のチャネル推定値を取得する。すなわち、チャネルごとに周波数領域のチャネル推定値が取得されることになる。例えば、送信アンテナ５からリファレンス信号ｒ１，ｒ２，…が送信されたとする。なお、そのリファレンス信号は、あらかじめ決められている異なる周波数を介して送信される。例えば、ＯＦＤＭの場合、そのＯＦＤＭのサブキャリア分のリファレンス信号が、各サブキャリアに応じた周波数で送信される。そして、そのリファレンス信号ｒ１，ｒ２，…が受信アンテナ３を介して受信部１１によって受信されたとする。その受信されたフーリエ変換後の受信信号（すなわち、フーリエ変換部３５の出力）がｙ１，ｙ２，…であったとする。なお、ｙｎは、ｒｎと同じ周波数の信号である（ｎ＝１，２，…）。また、リファレンス信号ｒｎの伝搬された周波数における伝搬特性をｈｎとすると、ｙｎ＝ｒｎ×ｈｎとなる。なお、リファレンス信号はあらかじめ決められている既知の信号であるため、チャネル推定部１２は、ｒ１，ｒ２，…を知ることができる。したがって、チャネル推定部１２は、送信アンテナ５と、受信アンテナ３との間のチャネル推定値ｈ１，ｈ２，…を算出することができる。なお、リファレンス信号ｒ１，ｒ２，…は、複数の周波数に応じた信号を有する一の信号として送信されてもよい。したがって、リファレンス信号ｒ１，ｒ２，…は、複数の別々の信号であってもよく、一つの信号であってもよい。また、送信装置２の送信アンテナ５，６ごとに、送信装置２からリファレンス信号が送信され、そのリファレンス信号を用いて、受信装置１の受信アンテナ３，４ごとにチャネル推定値が算出される。このように、チャネル推定部１２は、送信アンテナ５，６と、受信アンテナ３，４とのすべての組み合わせの無線通信チャネルについて、それぞれ複数のチャネル推定値の集合（すなわち、周波数領域におけるチャネル推定値）を算出することになる。なお、このチャネル推定値の集合のことも単にチャネル推定値を呼ぶものとする。本実施の形態では、チャネル推定部１２は、送信アンテナ５，６と、受信アンテナ３，４との組み合わせ（すなわち、４個の組み合わせ）について、チャネル推定値を取得する。すなわち、チャネル推定部１２は、送信アンテナ５と受信アンテナ３との間のチャネル推定値ｈ１１、送信アンテナ５と受信アンテナ４との間のチャネル推定値ｈ１２、送信アンテナ６と受信アンテナ３との間のチャネル推定値ｈ２１、送信アンテナ６と受信アンテナ４との間のチャネル推定値ｈ２２を取得する。なお、ｈ１１等は、前述のように、複数の周波数に応じた複数のチャネル推定値の集合である。また、送信アンテナがＡ個であり、受信アンテナがＢ個である場合には、チャネル推定部１２は、Ａ×Ｂ個のチャネル推定値を取得することになる。また、送信装置２が送信アンテナ５を介して送信するリファレンス信号と、送信アンテナ６を介して送信するリフ��レンス信号とは、時分割多重方式により送信されてもよく、符号分割多重方式により送信されてもよく、あるいは、チャネル推定を行うことができるその他の方法によって送信されてもよい。なお、チャネル推定値の取得の処理はすでに公知であり、例えば、前述の特許文献１，２、非特許文献１等を参照されたい。
【００２４】
生成部１３は、チャネル推定部１２が取得した周波数領域のチャネル推定値を逆フーリエ変換して、チャネルを構成する各パスの振幅と位相と遅延間隔とを含む遅延プロファイルを生成する。この遅延プロファイルは、時間領域でのチャネル推定結果である。したがって、本実施の形態では、この遅延プロファイルであるチャネル推定結果を送信装置２にフィードバックする。なお、そのフィードバックのデータ量を削減するため、生成部１３は、その振幅及び遅延間隔の少なくとも一部を除いた遅延プロファイルを生成する。本実施の形態では、生成部１３は、図３で示されるように、逆フーリエ変換手段４１と、遅延プロファイル生成手段４２と、削減手段４３とを備える。
【００２５】
逆フーリエ変換手段４１は、周波数領域のチャネル推定値に対して逆高速フーリエ変換を行い、時間領域の信号に変換する。前述のように、チャネル推定値ｈ１１等は複数の周波数に応じた複数のチャネル推定値の集合である。そのチャネル推定値に逆高速フーリエ変換が行われることによって、例えば、図５で示されるような時間領域の波形が得られる。この波形は、チャネルを構成している複数のパス（送信側のアンテナから、受信側のアンテナへの複数の伝搬経路）を示すものである。なお、逆フーリエ変換手段４１は、各チャネルについて、逆高速フーリエ変換を行う。すなわち、本実施の形態の場合には、送信装置２と受信装置１との間の４個の各無線通信チャネルに対応したチャネル推定値ｈ１１、ｈ１２、ｈ２１、ｈ２２のそれぞれについて逆高速フーリエ変換が行われる。なお、逆フーリエ変換手段４１は、逆高速フーリエ変換に代えて逆離散フーリエ変換を行ってもよい。
【００２６】
遅延プロファイル生成手段４２は、逆高速フーリエ変換の結果を用いて、遅延プロファイルを生成する。遅延プロファイル生成手段４２は、逆高速フーリエ変換後の波形から、チャネルを構成する各パスの遅延間隔と、振幅と、位相とを取得し、それらを含む遅延プロファイルを生成する。生成された遅延プロファイルは、図示しない記録媒体で記憶されてもよい。その遅延間隔は、逆高速フーリエ変換後の波形におけるパス（ピーク）間の時間間隔である。例えば、図５のように、複数のパス（ピーク）が存在する場合には、各パスの間の時間間隔を示す複数の遅延間隔が取得される。なお、遅延間隔は、結果としてパス間の時間間隔を知ることができるのであれば、他の情報であってもよい。例えば、ある基準とする時点と、各パスとの間の時間間隔であってもよい。その基準とする時点は、例えば、１個目のパスの時点であってもよく、あるいは、他の同期等で用いられる時点であってもよい。また、振幅は、逆高速フーリエ変換後の波形におけるパスの実数振幅であり、位相は、そのパスの位相である。ここで、本実施の形態では、「振幅」は、複素振幅と明記しない限りは、実数振幅であるとする。したがって、遅延プロファイルは、遅延間隔と、複素振幅とを含むと言うこともできる。なお、遅延プロファイル生成手段４２は、周波数領域のチャネル推定値ｈ１１、ｈ１２、ｈ２１、ｈ２２の逆高速フーリエ変換のそれぞれの結果から、遅延プロファイルＤＰ１１、ＤＰ１２、ＤＰ２１、ＤＰ２２を生成する。なお、周波数領域のチャネル推定値ｈｉｊに対応した遅延プロファイルをＤＰｉｊとしている。このように、通常、一のチャネルに応じた周波数領域のチャネル推定値から、一の遅延プロファイルが生成されるが、後述するように例外もありうる。
【００２７】
削減手段４３は、遅延プロファイル生成手段４２が生成した遅延プロファイルから、振幅及び遅延間隔の少なくとも一部を除く処理を行う。この処理が行われることにより、フィードバック対象のデータ量を少なくすることができる。なお、削減手段４３は、周波数領域のチャネル推定値ｈ１１、ｈ１２、ｈ２１、ｈ２２のそれぞれに対応した遅延プロファイルＤＰ１１、ＤＰ１２、ＤＰ２１、ＤＰ２２について、その一部の情報を削減する処理を行う。その結果、通常、少なくとも一部の情報が削減された４個の遅延プロファイルＲＤＰ１１、ＲＤＰ１２、ＲＤＰ２１、ＲＤＰ２２が生成されることになる。なお、遅延プロファイルをＤＰｉｊに対応した、データの削減処理後の遅延プロファイルを遅延プロファイルＲＤＰｉｊとしている。なお、各遅延プロファイルＲＤＰｉｊは、各遅延プロファイルＤＰｉｊに対して、データが削減されている場合もあるが、そうでない場合もある。一方、遅延プロファイルＲＤＰｉｊを全体としてみれば、遅延プロファイルＤＰｉｊの全体に対してデータ量が削減されていることになる。また、結果として、振幅及び遅延間隔の少なくとも一部が除かれるのであれば、削減手段４３の行う処理は、必ずしも情報を削除する処理でなくてもよい。例えば、削減手段４３は、遅延プロファイル生成手段４２が生成した遅延プロファイルから、削減対象の情報を含まない遅延プロファイルを新たに生成することによって、その削減対象の情報を削減した遅延プロファイルを得てもよい。ここで、削減手段４３による削減の方法について説明する。
【００２８】
（１）アンテナ間の類似性を用いた削減
この場合には、送信装置２と受信装置１との間に２以上のチャネルが存在するものとする。したがって、送信装置２が２以上の送信アンテナを有していてもよく、受信装置１が２以上の受信アンテナを有していてもよく、あるいは、その両方であってもよい。一の受信装置１が２以上の受信アンテナを用いて受信を行う場合には、通常、その２以上の受信アンテナの設置位置は距離的に近くなると考えられる。近年、装置が小型化してきているため、そのことはより顕著になってきている。そのように、近い距離に設置されている２以上の受信アンテナでは、受信アンテナ間で振幅及び遅延間隔がそれほど違わないと考えられる。また、一の送信装置２が２以上の受信アンテナを用いて送信を行う場合にも同様であると考えられる。したがって、削減手段４３は、２以上のチャネルに対応した振幅及び遅延時間の少なくとも一つの代表値と、２以上のチャネルごとの位相とがフィードバックされるように、それ以外の情報を削減してもよい。ここで、２以上のチャネルに対応した振幅及び遅延時間の一つの代表値は、（１−１）特定の１個のチャネルの振幅及び遅延間隔であってもよく、あるいは、（１−２）２以上のすべてのチャネルの振幅の平均及び遅延間隔の平均であってもよい。（１−１）の場合に、その特定の１個のチャネルは、例えば、ランダムに選択されたものでもよく、あるいは、複数のチャネルの振幅の平均及び遅延間隔の平均に最も近い振幅や遅延間隔を有するチャネルであってもよい。また、その特定の１個のチャネルは時間の経過に応じて順番に変更されてもよい。
【００２９】
（１−１）の場合には、削減手段４３は、その特定の１個のチャネルについては、何ら削減を行わず、その他のチャネルについては、振幅と遅延時間の削減を行う。すなわち、削減手段４３は、その特定の１個のチャネルについては、振幅、位相、遅延間隔を含む遅延プロファイルを生成し、その他のチャネルについては位相のみを含む遅延プロファイルを生成する。なお、「位相のみを含む」とは、遅延プロファイルについて振幅と遅延間隔とを含まないことを意味しており、その他の情報、例えば、チャネルを識別する情報等を含んでもよいことは言うまでもない。また、ここでは、特定の１個のチャネルについてのみ、何ら削減を行わない場合について説明したが、そのチャネルは、１個以上であってもよい。すなわち、削減手段４３は、例えば、少なくとも一のチャネルについては振幅、位相、遅延間隔のすべてを含む遅延プロファイルを生成し、他のチャネルについては位相のみを含む遅延プロファイルを生成してもよい。ここで、位相のみを含む遅延プロファイルのフィードバックされるチャネルが少なくとも１個は存在している必要がある。すなわち、振幅、位相、遅延間隔のすべてを含む遅延プロファイルが生成されるチャネル数は、全体のチャネル数未満である。そうでなければ、全体としてフィードバックのデータ量を削減できないからである。
【００３０】
（１−２）の場合には、削減手段４３は、すべてのチャネルの振幅の平均と、遅延間隔の平均とを算出する。なお、振幅の平均は、パスごとに算出するものとする。また、遅延間隔が複数存在する場合には、各パスの間ごとに遅延間隔の平均を算出するものとする。そして、削減手段４３は、すべてのチャネルに関する振幅の平均及び遅延間隔の平均を含む遅延プロファイルを生成し、すべてのチャネルについて位相のみ含む遅延プロファイルを生成する。この場合には、遅延プロファイルＤＰｉｊのそれぞれから、位相のみを含む遅延プロファイルＲＤＰｉｊが生成され、さらに振幅及び遅延間隔のそれぞれの平均を含む遅延プロファイルＲＤＰ００が生成されてもよく、あるいは、いずれかの遅延プロファイルＲＤＰｉｊに振幅及び遅延間隔のそれぞれの平均が含められてもよい。
【００３１】
（２）時間的な類似性を用いた削減
一のチャネルを用いて受信を行う場合には、時間の経過に応じて、位相の方が、振幅や遅延間隔に比べてより変化すると考えられる。したがって、削減手段４３は、一のチャネルに対応した遅延プロファイルについて、基準となる時には、削減を行わず、基準となる時以外には、振幅と遅延間隔の削減を行う。すなわち、削減手段４３は、基準となる生成時には、振幅、位相、遅延時間のすべてを含む遅延プロファイルを生成し、その基準となる生成時以外には、位相のみを含む遅延プロファイルを生成する。なお、基準となる時は、例えば、一定期間ごと（例えば、１秒ごとや、リファレンス信号の１０回の受信ごと等）であってもよく、あるいは、前回の基準となる時に生成した遅延プロファイルに含まれる振幅、遅延時間と比較して、遅延プロファイル生成手段４２の生成した遅延プロファイルに含まれる振幅または遅延時間があらかじめ決められたしきい値よりも変化した時点であってもよい。
【００３２】
なお、ここでは、（１）（２）の場合について説明したが、それ以外の方法によって遅延プロファイルの情報量の削減を行ってもよい。例えば、削減手段４３は、（１）（２）を組み合わせて遅延プロファイルの情報量の削減を行ってもよい。すなわち、特定の１個のチャネルについても、基準となる時のみすべてを含む遅延プロファイルを送信し，それ以外については、位相のみを送信するようにしてもよい。
【００３３】
また、ここでは、図３で示されるように、生成部１３が、何も削減の行われていないフルの遅延プロファイルをまず生成し、その後に、情報量の削減を行う場合について説明したが、そうでなくてもよい。生成部１３は、遅延プロファイルを生成する際に、はじめから情報量の削減された遅延プロファイルを生成してもよい。このように、生成部１３の構成は、図３で示されるものに限定されない。
【００３４】
フィードバック部１４は、生成部１３が生成した遅延プロファイルを送信装置２に送信する。この遅延プロファイルは、前述のように、適宜、その一部の情報が削減されたものである。本実施の形態では、チャネル推定値ｈ１１、ｈ１２、ｈ２１、ｈ２２のそれぞれに対応した遅延プロファイルＲＤＰ１１、ＲＤＰ１２、ＲＤＰ２１、ＲＤＰ２２等が、フィードバック部１４によって送信装置２に送信される。この送信は、例えば、ＯＦＤＭによって行われてもよく、あるいは、その他の方式によって行われてもよい。なお、フィードバック部１４による送信は、送信対象がチャネル推定値から遅延プロファイルに変わった以外、従来例と同様であり、その詳細な説明を省略する。また、フィードバック部１４は、ハードウェアによって実現されてもよく、あるいは送信デバイスを駆動するドライバ等のソフトウェアによって実現されてもよい。
【００３５】
ここで、送信装置２にフィードバックされた遅延プロファイルについて簡単に説明する。（１−１）の場合には、少なくとも一のチャネルに応じた遅延プロファイルには振幅及び遅延間隔が含まれているため、他のチャネルに応じた遅延プロファイルの振幅及び遅延間隔として、その振幅及び遅延間隔を用いることになる。なお、２以上のチャネルに応じた遅延プロファイルに振幅及び遅延間隔が含まれている場合には、他のチャネルに応じた遅延プロファイルの振幅及び遅延間隔として、チャネル特性がより近いであると考えられるチャネルに応じた振幅及び遅延間隔を用いることが好適である。チャネル特性が近いとは，例えば、受信側において、あるいは、送信側において、アンテナの共通していることであってもよい。例えば、図１で示される４個のチャネルが存在する場合であって、ＲＤＰ１１，ＲＤＰ２１に振幅及び遅延間隔が含まれており、ＲＤＰ１２，ＲＤＰ２２に振幅及び遅延間隔が含まれていない場合には、ＲＤＰ１２の振幅及び遅延間隔としてＲＤＰ１１のものを用い、ＲＤＰ２２の振幅及び遅延間隔としてＲＤＰ２１のものを用いるようにしてもよい。（１−２）の場合には、振幅及び遅延間隔は平均のみがフィードバックされるため、すべてのチャネルの振幅及び遅延間隔として、平均のものを用いることになる。（２）の場合には、基準となる時以外の振幅及び遅延間隔として、基準となる時の振幅及び遅延間隔を用いることになる。
【００３６】
次に、受信装置１の動作について図４のフローチャートを用いて説明する。
（ステップＳ１０１）受信部１１は、リファレンス信号（ＲＳ）を受信したかどうか判断する。そして、リファレンス信号を受信した場合には、ステップＳ１０２に進み、そうでない場合には、ステップＳ１０６に進む。
【００３７】
（ステップＳ１０２）チャネル推定部１２は、リファレンス信号に応じた周波数領域のチャネル推定値を取得する。すなわち、チャネル推定部１２は、例えば、送信アンテナ５と、受信アンテナ３，４との間の複数の周波数に応じたチャネル推定値、及び送信アンテナ６と、受信アンテナ３，４との間の複数の周波数に応じたチャネル推定値を取得する。その取得された周波数領域のチャネル推定値は、図示しない記録媒体で記憶されてもよい。なお、２以上のリファレンス信号が送信される場合には、例えば、ステップＳ１０１とステップＳ１０２の処理がそのリファレンス信号の数だけ繰り返されてもよい。また、このチャネル推定値は、前述のように、等化器３６での等化処理にも用いられる。
【００３８】
（ステップＳ１０３）生成部１３の逆フーリエ変換手段４１は、チャネル推定値を逆フーリエ変換する。そして、生成部１３の遅延プロファイル生成手段４２は、その逆フーリエ変換の結果を用いて、遅延プロファイルを生成する。その遅延プロファイルは、図示しない記録媒体で記憶されてもよい。
【００３９】
（ステップＳ１０４）生成部１３の削減手段４３は、遅延プロファイルの少なくとも一部の情報を前述のように削減する。
【００４０】
（ステップＳ１０５）フィードバック部１４は、一部の情報の削減された遅延プロファイルを、送信装置２に送信する。そして、ステップＳ１０１に戻る。
【００４１】
（ステップＳ１０６）受信部１１は、ＭＩＭＯの送信信号を受信したかどうか判断する。そして、ＭＩＭＯの送信信号を受信した場合には、ステップＳ１０７に進み、そうでない場合には、ステップＳ１０１に戻る。
【００４２】
（ステップＳ１０７）受信部１１あるいはその他の構成要素によって、受信された送信信号に応じた処理が行われる。そして、ステップＳ１０１に戻る。
なお、図４のフローチャートにおいて、電源オフや処理終了の割り込みにより処理は終了する。
【００４３】
次に、本実施の形態による受信装置１の動作について、具体例を用いて説明する。
まず、送信装置２がリファレンス信号を送信するタイミングとなり、送信アンテナ５，６を介してリファレンス信号が送信されたとする。すると、そのリファレンス信号は、受信アンテナ３，４を介して受信部１１で受信される（ステップＳ１０１）。そして、チャネル推定部１２は、受信部１１のフーリエ変換部３５の出力を得ることによって、各チャネルの周波数領域におけるチャネル推定値ｈ１１、ｈ１２、ｈ２１、ｈ２２を取得し、生成部１３の逆フーリエ変換手段４１に渡す（ステップＳ１０２）。逆フーリエ変換手段４１は、各チャネル推定値ｈ１１、ｈ１２、ｈ２１、ｈ２２を逆高速フーリエ変換し、それぞれの結果を遅延プロファイル生成手段４２に渡す。遅延プロファイル生成手段４２は、各チャネル推定値ｈ１１、ｈ１２、ｈ２１、ｈ２２の逆高速フーリエ変換の結果ごとに、振幅、遅延間隔、位相を含む遅延プロファイルＤＰ１１、ＤＰ１２、ＤＰ２１、ＤＰ２２を生成し、削減手段４３に渡す（ステップＳ１０３）。それらの遅延プロファイルは、次のようであったとする。なお、ｔ１は、リファレンス信号の受信時に応じた添字であるとする。また、振幅Ａ１１ｔ１１、Ａ１１ｔ１２、Ａ１１ｔ１３等は、時間の順に３個のパスに対応した振幅である。また、遅延間隔ＤＩ１１ｔ１１、ＤＩ１１ｔ１２等は、その３個のパス間の２個の時間間隔（図５参照）に対応したものである。位相Ｐ１１ｔ１１、Ｐ１１ｔ１２、Ｐ１１ｔ１３等は、時間の順に３個のパスに対応した位相である。
［遅延プロファイルＤＰ１１］
振幅：Ａ１１ｔ１１、Ａ１１ｔ１２、Ａ１１ｔ１３
遅延間隔：ＤＩ１１ｔ１１、ＤＩ１１ｔ１２
位相：Ｐ１１ｔ１１、Ｐ１１ｔ１２、Ｐ１１ｔ１３
［遅延プロファイルＤＰ１２］
振幅：Ａ１２ｔ１１、Ａ１２ｔ１２、Ａ１２ｔ１３
遅延間隔：ＤＩ１２ｔ１１、ＤＩ１２ｔ１２
位相：Ｐ１２ｔ１１、Ｐ１２ｔ１２、Ｐ１２ｔ１３
［遅延プロファイルＤＰ２１］
振幅：Ａ２１ｔ１１、Ａ２１ｔ１２、Ａ２１ｔ１３
遅延間隔：ＤＩ２１ｔ１１、ＤＩ２１ｔ１２
位相：Ｐ２１ｔ１１、Ｐ２１ｔ１２、Ｐ２１ｔ１３
［遅延プロファイルＤＰ２２］
振幅：Ａ２２ｔ１１、Ａ２２ｔ１２、Ａ２２ｔ１３
遅延間隔：ＤＩ２２ｔ１１、ＤＩ２２ｔ１２
位相：Ｐ２２ｔ１１、Ｐ２２ｔ１２、Ｐ２２ｔ１３
削減手段４３は、遅延プロファイルから適宜、情報を削減する。ここでは、（１−１）、（１−２）、（２）のそれぞれについて説明する。
【００４４】
（１−１）の場合
この場合に、遅延プロファイルＤＰ１１については、振幅及び遅延間隔を残し、それ以外の遅延プロファイルについては、振幅及び遅延間隔を削除することになっていたとする。すると、削減手段４３は、次のような削減後の遅延プロファイルＲＤＰ１１、ＲＤＰ１２、ＲＤＰ２１、ＲＤＰ２２を生成し、フィードバック部１４に渡す（ステップＳ１０４）。遅延プロファイルＲＤＰ１１以外は振幅及び遅延間隔を含まないことにより、フィードバック対象のデータ量が削減されている。
［遅延プロファイルＲＤＰ１１］
振幅：Ａ１１ｔ１１、Ａ１１ｔ１２、Ａ１１ｔ１３
遅延間隔：ＤＩ１１ｔ１１、ＤＩ１１ｔ１２
位相：Ｐ１１ｔ１１、Ｐ１１ｔ１２、Ｐ１１ｔ１３
［遅延プロファイルＲＤＰ１２］
位相：Ｐ１２ｔ１１、Ｐ１２ｔ１２、Ｐ１２ｔ１３
［遅延プロファイルＲＤＰ２１］
位相：Ｐ２１ｔ１１、Ｐ２１ｔ１２、Ｐ２１ｔ１３
［遅延プロファイルＲＤＰ２２］
位相：Ｐ２２ｔ１１、Ｐ２２ｔ１２、Ｐ２２ｔ１３
【００４５】
（１−２）の場合
この場合には、削減手段４３は、次のような削減後の遅延プロファイルＲＤＰ００、ＲＤＰ１１、ＲＤＰ１２、ＲＤＰ２１、ＲＤＰ２２を生成し、フィードバック部１４に渡す（ステップＳ１０４）。なお、ＡＡＶｔ１１は、Ａ１１ｔ１１、Ａ１２ｔ１１、Ａ２１ｔ１１、Ａ２２ｔ１１の平均であり、ＤＩＡＶｔ１１は、ＤＩ１１ｔ１１、ＤＩ１２ｔ１１、ＤＩ２１ｔ１１、ＤＩ２２ｔ１１の平均であり、ＡＡＶｔ１２、ＡＡＶｔ１３やＤＩＡＶｔ１２も同様である。遅延プロファイルＲＤＰ００以外は振幅及び遅延間隔を含まないことにより、フィードバック対象のデータ量が削減されている。
［遅延プロファイルＲＤＰ００］
振幅：ＡＡＶｔ１１、ＡＡＶｔ１２、ＡＡＶｔ１３
遅延間隔：ＤＩＡＶｔ１１、ＤＩＡＶｔ１２
［遅延プロファイルＲＤＰ１１］
位相：Ｐ１１ｔ１１、Ｐ１１ｔ１２、Ｐ１１ｔ１３
［遅延プロファイルＲＤＰ１２］
位相：Ｐ１２ｔ１１、Ｐ１２ｔ１２、Ｐ１２ｔ１３
［遅延プロファイルＲＤＰ２１］
位相：Ｐ２１ｔ１１、Ｐ２１ｔ１２、Ｐ２１ｔ１３
［遅延プロファイルＲＤＰ２２］
位相：Ｐ２２ｔ１１、Ｐ２２ｔ１２、Ｐ２２ｔ１３
【００４６】
（２）の場合
リファレンス信号の受信時ｔ１が、基準となる時であったとする。すると、削減手段４３は、何ら削減を行っていない遅延プロファイルＲＤＰ１１、ＲＤＰ１２、ＲＤＰ２１、ＲＤＰ２２を生成し、フィードバック部１４に渡す（ステップＳ１０４）。
［遅延プロファイルＲＤＰ１１］
振幅：Ａ１１ｔ１１、Ａ１１ｔ１２、Ａ１１ｔ１３
遅延間隔：ＤＩ１１ｔ１１、ＤＩ１１ｔ１２
位相：Ｐ１１ｔ１１、Ｐ１１ｔ１２、Ｐ１１ｔ１３
［遅延プロファイルＲＤＰ１２］
振幅：Ａ１２ｔ１１、Ａ１２ｔ１２、Ａ１２ｔ１３
遅延間隔：ＤＩ１２ｔ１１、ＤＩ１２ｔ１２
位相：Ｐ１２ｔ１１、Ｐ１２ｔ１２、Ｐ１２ｔ１３
［遅延プロファイルＲＤＰ２１］
振幅：Ａ２１ｔ１１、Ａ２１ｔ１２、Ａ２１ｔ１３
遅延間隔：ＤＩ２１ｔ１１、ＤＩ２１ｔ１２
位相：Ｐ２１ｔ１１、Ｐ２１ｔ１２、Ｐ２１ｔ１３
［遅延プロファイルＲＤＰ２２］
振幅：Ａ２２ｔ１１、Ａ２２ｔ１２、Ａ２２ｔ１３
遅延間隔：ＤＩ２２ｔ１１、ＤＩ２２ｔ１２
位相：Ｐ２２ｔ１１、Ｐ２２ｔ１２、Ｐ２２ｔ１３
【００４７】
なお、次のリファレンス信号の受信時ｔ２は、基準となる時でなかったとする。すると、削減手段４３は、次のような削減後の遅延プロファイルＲＤＰ１１、ＲＤＰ１２、ＲＤＰ２１、ＲＤＰ２２を生成し、フィードバック部１４に渡す（ステップＳ１０４）。このように、基準となる時以外は、各遅延プロファイルＲＤＰ１１、ＲＤＰ１２、ＲＤＰ２１、ＲＤＰ２２が振幅及び遅延間隔を含まないことにより、フィードバック対象のデータ量が全体として削減される。
［遅延プロファイルＲＤＰ１１］
位相：Ｐ１１ｔ２１、Ｐ１１ｔ２２、Ｐ１１ｔ２３
［遅延プロファイルＲＤＰ１２］
位相：Ｐ１２ｔ２１、Ｐ１２ｔ２２、Ｐ１２ｔ２３
［遅延プロファイルＲＤＰ２１］
位相：Ｐ２１ｔ２１、Ｐ２１ｔ２２、Ｐ２１ｔ２３
［遅延プロファイルＲＤＰ２２］
位相：Ｐ２２ｔ２１、Ｐ２２ｔ２２、Ｐ２２ｔ２３
【００４８】
ここで、この具体例で示したように、すべてのチャネルで基準となる時を共通にしてしまうと、フィードバック対象のデータ量が多くなったり少なくなったり変動することになる。したがって、チャネルごとに、基準となる時をずらすようにしてもよい。例えば、リファレンス信号の４回の受信のうち１回が基準となる時となる場合には、ｔ１のタイミングでは、削減手段４３が、
［遅延プロファイルＲＤＰ１１］
振幅：Ａ１１ｔ１１、Ａ１１ｔ１２、Ａ１１ｔ１３
遅延間隔：ＤＩ１１ｔ１１、ＤＩ１１ｔ１２
位相：Ｐ１１ｔ１１、Ｐ１１ｔ１２、Ｐ１１ｔ１３
［遅延プロファイルＲＤＰ１２］
位相：Ｐ１２ｔ１１、Ｐ１２ｔ１２、Ｐ１２ｔ１３
［遅延プロファイルＲＤＰ２１］
位相：Ｐ２１ｔ１１、Ｐ２１ｔ１２、Ｐ２１ｔ１３
［遅延プロファイルＲＤＰ２２］
位相：Ｐ２２ｔ１１、Ｐ２２ｔ１２、Ｐ２２ｔ１３
を生成し、次のｔ２のタイミングでは、削減手段４３が、
［遅延プロファイルＲＤＰ１１］
位相：Ｐ１１ｔ２１、Ｐ１１ｔ２２、Ｐ１１ｔ２３
［遅延プロファイルＲＤＰ１２］
振幅：Ａ１２ｔ２１、Ａ１２ｔ２２、Ａ１２ｔ２３
遅延間隔：ＤＩ１２ｔ２１、ＤＩ１２ｔ２２
位相：Ｐ１２ｔ２１、Ｐ１２ｔ２２、Ｐ１２ｔ２３
［遅延プロファイルＲＤＰ２１］
位相：Ｐ２１ｔ２１、Ｐ２１ｔ２２、Ｐ２１ｔ２３
［遅延プロファイルＲＤＰ２２］
位相：Ｐ２２ｔ２１、Ｐ２２ｔ２２、Ｐ２２ｔ２３
を生成してもよい。
【００４９】
また、前述のように、（１）の場合と、（２）の場合とを組み合わせてもよい。例えば、（１−１）において、ｔ１のタイミングでは、遅延プロファイルＲＤＰ１１として、削減手段４３が、
［遅延プロファイルＲＤＰ１１］
振幅：Ａ１１ｔ１１、Ａ１１ｔ１２、Ａ１１ｔ１３
遅延間隔：ＤＩ１１ｔ１１、ＤＩ１１ｔ１２
位相：Ｐ１１ｔ１１、Ｐ１１ｔ１２、Ｐ１１ｔ１３
を生成し、ｔ２のタイミングでは、遅延プロファイルＲＤＰ１１として、削減手段４３が
［遅延プロファイルＲＤＰ１１］
位相：Ｐ１１ｔ２１、Ｐ１１ｔ２２、Ｐ１１ｔ２３
を生成するようにしてもよい。また、例えば、（１−２）においても、削減手段４３が、ｔ１のタイミングでは遅延プロファイルＲＤＰ００を生成し、ｔ２のタイミングでは遅延プロファイルＲＤＰ００を生成しなくてもよい。
【００５０】
フィードバック部１４は、削減手段４３からフィードバック対象の遅延プロファイルを受け取ると、その遅延プロファイルを送信装置２に送信する（ステップＳ１０５）。送信装置２では、情報の削減された遅延プロファイルから、前述のようにして、元の遅延プロファイルを構成することができる。そして、その遅延プロファイルは、例えば、プリコーディング等のために用いられてもよい。
また、リファレンス信号の受信の間において、送信信号の受信が行われ、その受信に応じた処理が行われてもよいことは言うまでもない（ステップＳ１０６，Ｓ１０７）。
【００５１】
以上のように、本実施の形態による受信装置１によれば、チャネルの推定結果を送信装置２にフィードバックする際に、時間領域の遅延プロファイルに変換し、さらにその一部の情報を削減してフィードバックするため、フィードバック対象のデータ量を減少させることができ、フィードバックによる無線リソースの消費を抑えることができる。また、フィードバックのために同じ容量の無線リソースを使用したとしても、本実施の形態のようにデータ量の削減を行う場合には、そのような削減を行わない場合よりも、各チャネルに応じた遅延プロファイルの精度を上げることができる。また、屋内のような比較的コンディションのよい領域で無線通信を行う場合には、チャネルごとに振幅や遅延間隔が大きく異なることはないと考えられるため、本実施の形態のようなデータ量の削減を行ったとしても、それによる品質の悪化は、限定的であると考えられる。したがって、結果として、フィードバック対象のデータ量を減らしながらも、フィードバックするチャネル推定結果の精度を向上させることができ、例えば、より伝送速度の速い通信を実現することができるようになる。
【００５２】
なお、フェムトセルやピコセルの条件では、比較的伝送距離が短く、見通しで、少ない数の散乱波数が小さな遅延時間で到来する傾向にある。そのような場合には、周波数領域におけるチャネル推定結果を、逆フーリエ変換して時間領域における情報とした方が、フィードバック対象のデータ量を削減させることができる。また、本実施の形態のように、その時間領域における遅延プロファイルの少なくとも一部を削減してフィードバックすることにより、さらに、フィードバック対象のデータ量を削減することができ、フィードバックにおける無線リソースの消費を少なくすることができる。その結果として、前述のように、より精度の高いチャネル推定結果のフィードバックも可能となる。このように、本実施の形態による受信装置１等は、例えば、フェムトセルやピコセルとの無線通信などのように、屋内の無線通信や短距離の無線通信、見通し無線通信等で用いられることが好適であるが、それ以外の無線通信で用いられてもよい。
【００５３】
また、本実施の形態では、フィードバック対象のデータ量の削減方法として、いくつかの具体例を用いて説明したが、それ以外の方法で振幅及び遅延間隔の少なくとも一部の削減を行ってもよいことは言うまでもない。
また、ＭＩＭＯは通常、ＯＦＤＭにより行われるため、ＯＦＤＭによる通信が行われる場合について主に説明したが、ＯＦＤＭではないＭＩＭＯによる通信が行われてもよいことは言うまでもない。
【００５４】
また、本実施の形態では、主にシングルユーザＭＩＭＯ通信を行う場合について説明したが、前述のようにマルチユーザＭＩＭＯ通信のフィードバックにおいて、データ量の削減を行ってもよい。また、ＭＩＭＯ通信以外のチャネル推定結果の送信が必要なシステムにおいて、本実施の形態のようにして、チャネル推定結果のデータ量の削減を行ってもよいことは言うまでもない。また、前述のように、受信装置１は１個の受信アンテナを用いて受信を行うものであってもよく、３個以上の受信アンテナを用いて受信を行うものであってもよい。
【００５５】
また、上記実施の形態において、各処理または各機能は、単一の装置または単一のシステムによって集中処理されることによって実現されてもよく、あるいは、複数の装置または複数のシステムによって分散処理されることによって実現されてもよい。
【００５６】
また、上記実施の形態において、各構成要素間で行われる情報の受け渡しは、例えば、その情報の受け渡しを行う２個の構成要素が物理的に異なるものである場合には、一方の構成要素による情報の出力と、他方の構成要素による情報の受け付けとによって行われてもよく、あるいは、その情報の受け渡しを行う２個の構成要素が物理的に同じものである場合には、一方の構成要素に対応する処理のフェーズから、他方の構成要素に対応する処理のフェーズに移ることによって行われてもよい。
【００５７】
また、上記実施の形態において、各構成要素が実行する処理に関係する情報、例えば、各構成要素が受け付けたり、取得したり、選択したり、生成したり、送信したり、受信したりした情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【００５８】
また、上記実施の形態において、各構成要素等で用いられる情報、例えば、各構成要素が処理で用いるしきい値やアドレス、各種の設定値等の情報がユーザによって変更されてもよい場合には、上記説明で明記していない場合であっても、ユーザが適宜、それらの情報を変更できるようにしてもよく、あるいは、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【００５９】
また、上記実施の形態において、受信装置１に含まれる２以上の構成要素が通信デバイスや入力デバイス等を有する場合に、２以上の構成要素が物理的に単一のデバイスを有してもよく、あるいは、別々のデバイスを有してもよい。
【００６０】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記実施の形態における受信装置１を実現するソフトウェアは、以下のようなプログラムである。つまり、このプログラムは、コンピュータを、送信装置が１以上の送信アンテナから送信したリファレンス信号を、１以上の受信アンテナを介して受信する受信部が受信したリファレンス信号を用いて、１以上の送信アンテナと、１以上の受信アンテナとの組み合わせに応じたチャネルについて周波数領域のチャネル推定値を取得するチャネル推定部、チャネル推定部が取得した周波数領域のチャネル推定値を逆フーリエ変換して、チャネルを構成する各パスの振幅と位相と遅延間隔とを含む、送信装置に送信される遅延プロファイルを生成する生成部として機能させ、生成部は、振幅及び遅延間隔の少なくとも一部を除いた遅延プロファイルを生成する、プログラムである。
【００６１】
なお、上記プログラムにおいて、上記プログラムが実現する機能には、ハードウェアでしか実現できない機能は含まれない。すなわち、ハードウェアでしか実現できない機能は、上記プログラムが実現する機能には少なくとも含まれないものとする。
【００６２】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【００６３】
また、このプログラムを実行するコンピュータは、単数であってもよく、複数であってもよい。すなわち、集中処理を行ってもよく、あるいは分散処理を行ってもよい。
【００６４】
図６は、上記プログラムを実行して、上記実施の形態による受信装置１を実現するコンピュータの外観の一例を示す模式図である。上記実施の形態は、コンピュータハードウェア及びその上で実行されるコンピュータプログラムによって実現されうる。
【００６５】
図６において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【００６６】
図７は、コンピュータシステム９００の内部構成を示す図である。図７において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、前述の送信や受信の処理を行うためのハードウェア、例えば、ＤＡ変換器やＡＤ変換器、変調器や復調器等を含んでいてもよく、あるいは、それらのハードウェアに接続されていてもよい。また、コンピュータ９０１は、ＬＡＮへの接続を提供する図示しないネットワークカードを含んでいてもよい。
【００６７】
コンピュータシステム９００に、上記実施の形態による受信装置１の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【００６８】
プログラムは、コンピュータ９０１に、上記実施の形態による受信装置１の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【００６９】
また、本発明は、以上の実施の形態に限定されることなく、種々の変更が可能であり、それらも本発明の範囲内に包含されるものであることは言うまでもない。
【産業上の利用可能性】
【００７０】
以上より、本発明による受信装置等によれば、チャネル推定結果のデータ量を削減できるという効果が得られ、例えば、チャネル推定結果を送信する受信装置等として有用である。
【符号の説明】
【００７１】
１  受信装置
２  送信装置
３、４  受信アンテナ
５、６  送信アンテナ
１１  受信部
１２  チャネル推定部
１３  生成部
１４  フィードバック部
３１  低雑音増幅部
３２  局部発振部
３３  周波数変換部
３４  ＡＤ変換部
３５  フーリエ変換部
３６  等化器
３７  復調部
３８  Ｐ／Ｓ変換部
４１  逆フーリエ変換手段
４２  遅延プロファイル生成手段
４３  削減手段
【図１】
0005681901.tif 000002
【図２】
0005681901.tif 000003
【図３】
0005681901.tif 000004
【図４】
0005681901.tif 000005
【図５】
0005681901.tif 000006
【図６】
0005681901.tif 000007
【図７】
0005681901.tif 000008